(57)【要約】  【課題】  ルアーのボディーを前部と後部に分割し、前部と後部とを上下のジョイント部で連結して、前部に対して後部が左右方向に揺動するルアーがある。本発明は、このようなルアーにおいて、安定したＵターンアクションと大きな振幅での蛇行を達成し易い魚釣り用ルアーを提供するものである。  【解決手段】  ルアー前部とルアー後部に分割され、このルアー前部に対してルアー後部が左右に揺動自在に連結され、この揺動した右位置と左位置において吸着し合う磁石装置を備え、釣り糸の巻取り時に前記ルアー後部が受ける水中抵抗によってこの磁石装置による吸着が外れて他方側へ動く構成であることを特徴とする。【選択図】    図４
2007053956.tif 000002
【特許請求の範囲】
【請求項１】
ルアー前部とルアー後部に分割され、このルアー前部に対してルアー後部が左右に揺動自在に連結され、この揺動した右位置と左位置において吸着し合う磁石装置を備え、釣り糸の巻取り時に前記ルアー後部が受ける水中抵抗によってこの磁石装置による吸着が外れて他方側へ動く構成であることを特徴とする魚釣り用ルアー。
【請求項２】
ルアー前部とルアー後部に分割され、このルアー前部に対してルアー後部が左右に揺動自在に連結され、この揺動した右位置と左位置において反発し合う磁石装置を備え、この磁石装置の反発によって水中において前記ルアー後部が左右に揺動することを特徴とする魚釣り用ルアー。
【発明の詳細な説明】
【技術分野】
【０００１】
本発明は、魚釣り用ルアーに関し、特に、魚形状のルアーがルアー前部とルアー後部に分割され、水中において前記ルアー後部が左右に揺動する魚釣り用ルアーに関する。
【背景技術】
【０００２】
ルアーのボディーを前部と後部に分割し、前部と後部とを上下のジョイント部で連結して、前部に対して後部が左右方向に揺動するルアーがある（特許文献１参照）。このルアーは、前部にＶ字型の切れ込みを形成し、この切れ込みの最深部にリーダーアイを取り付け、これによって糸ふけ時に水流を受けてボディーがジョイント部で折れ曲がり、Ｕターンアクションをし、リーリング又はジャークによって蛇行アクションをするというものである。
【特許文献１】特開平８−２９８８９７号公報
【発明の開示】
【発明が解決しようとする課題】
【０００３】
この特許文献１のものは、キャスト（釣り糸に結ばれたルアーを投げる）の後、Ｕターンアクションも、またリトリーブ時（釣り糸の巻上げ時）に後部が左右に揺動して蛇行する状態も、水流任せであるため、安定したＵターンアクションを得られない虞があり、また大きな振幅での蛇行を得難い場合が考えられる。このような点に鑑みて、本発明は、安定したＵターンアクションと大きな振幅での蛇行を達成し易い魚釣り用ルアーを提供するものである。
【課題を解決するための手段】
【０００４】
第１発明の魚釣り用ルアーは、ルアー前部とルアー後部に分割され、このルアー前部に対してルアー後部が左右に揺動自在に連結され、この揺動した右位置と左位置において吸着し合う磁石装置を備え、釣り糸の巻取り時に前記ルアー後部が受ける水中抵抗によってこの磁石装置による吸着が外れて他方側へ動く構成であることを特徴とする。
【０００５】
第２発明の魚釣り用ルアーは、ルアー前部とルアー後部に分割され、このルアー前部に対してルアー後部が左右に揺動自在に連結され、この揺動した右位置と左位置において反発し合う磁石装置を備え、この磁石装置の反発によって水中において前記ルアー後部が左右に揺動することを特徴とする。
【発明の効果】
【０００６】
第１発明では、磁石装置の吸着力によって、ルアー前部に対してルアー後部が折れ曲がった状態を維持する作用力が働き、水流などによってルアー後部を反対側へ回動させるためには、磁石装置を備えない場合に比して大きい作用力が必要となる。このため、ルアー前部に対するルアー後部の左から右への動き、及び右から左への動きが、磁石装置を備えない場合に比して遅れることとなり、ルアーが蛇行する振幅が大きくなる。また、ルアー前部に対してルアー後部が折れ曲がった状態を維持する作用力が働くことによって、キャスト（釣り糸に結ばれたルアーを投げる）の後、糸ふけを与えるときのＵターンアクションも安定したものとなる。このため、魚に対する誘引効果が大きいルアーを提供できる。
【０００７】
第２発明は、磁石装置の反発によって、ルアー前部に対するルアー後部の揺動を意図的に発生させるため、水流が遅い場合等のようにルアー後部が受ける水流抵抗が弱い場合にも、ルアー前部に対するルアー後部の左右揺動を促して、ルアーの蛇行アクションを形成できることとなり、魚に対する誘引効果が大きい状態となる。
【発明を実施するための最良の形態】
【０００８】
本発明に係る魚釣り用ルアーは、ルアー前部とルアー後部に分割され、このルアー前部に対してルアー後部が左右に揺動自在に連結され、この揺動した右位置と左位置において吸着し合う磁石装置を備え、釣り糸の巻取り時に前記ルアー後部が受ける水中抵抗によってこの磁石装置による吸着が外れて他方側へ動く構成であり、本発明の実施例を以下に記載する。
【実施例１】
【０００９】
本発明の実施の形態について説明する。図１は魚釣り用ルアーの側面図、図２は魚釣り用ルアーの上面図、図３はルアー前部とルアー後部の連結部を示す横断平面図、図４はルアー前部に対してルアー後部が一方側へ揺動した状態を説明する上面図、図５は魚釣り用ルアーの蛇行アクション状態を説明する平面図である。
【００１０】
図１は本発明の魚釣り用ルアーの一つの形態である魚形状ルアー１の側面図を示している。１は魚釣り用ルアーであり、合成樹脂で魚形状に成型されており、魚形状の胴部において、頭部２Ａ側であるルアー前部２と、尾部３Ａ側であるルアー後部３に分割され、ルアー後部３は、ルアー前部２に対して、連結部４によって左右に揺動自在に連結されている。この連結部４は、図２に示すように、上面から見てルアー１の左右間の中心を前後方向に通る中心線Ｐ上において、図１に示すように、上下に設けられている。この連結部４のそれぞれは、基部５Ａがルアー前部２に埋設固定され先端のリング部５Ｂがルアー前部２の後方へ水平状態に突出したリング部材５と、リング部５Ｂに緩く挿通されるようにルアー後部３に固定した垂直軸６との組み合わせである。
【００１１】
ルアー前部２の後端面は、平面視で中央部が前方へ略Ｖ字状に窪んだ凹部７を形成しており、ルアー後部３の前面は、凹部７に侵入するように、平面視で中央部が前方へ略Ｖ字状に突出した凸部８を形成している。連結部４は、この凹部７の最深部と凸部８の先端部が対応する部分に配置され、リング部材５が垂直軸６の周りで左右に回動できる逃げ部として、前記凸部８には、リング部５Ｂに対応して切り欠き９が上下に形成されている。
【００１２】
ルアー１は、ルアー後部３がルアー前部２に対して揺動した右位置と左位置において吸着し合う磁石装置１０を備えている。磁石装置１０は、ルアー１の上下の略中心部に位置してルアー１の左右両側に設けられ、上下の連結部４、４の中間に配置されている。磁石装置１０は、相対する永久磁石１０Ａと磁性体１０Ｂの組み合わせ、又は、吸引し合う永久磁石１０Ａ同士の組み合わせのいずれでもよい。図示の形態は、永久磁石１０Ａと磁性体１０Ｂの組み合わせを示しており、ルアー後部３の凸部８の左右両面に磁石面が露出する状態で永久磁石１０Ａがルアー後部３に埋設され、ルアー前部２の凹部７の左右両面に露出する状態で磁性体１０Ｂがルアー前部２に埋設されている。なお、永久磁石１０Ａに対して反対極性をもつ永久磁石を磁性体１０Ｂに置き換えることもできる。
【００１３】
ルアー前部２の先端には、ライン（釣り糸）１１の係止部であるリング状のアイ１２が取り付けられており、ルアー前部２の腹部には釣針を取り付けるリング状のアイ１３が取り付けられている。また、ルアー後部３の腹部には釣針を取り付けるリング状のアイ１４が取り付けられている。
【００１４】
このような構成によって、キャスト（釣り糸に結ばれたルアーを投げる）の後のルアー１の状態が、ルアー前部２とルアー後部３がルアー１の左右間の中心を前後方向に通る中心線Ｐ上に位置する場合、ルアー前部２が水流の抵抗を受けてルアー前部２が連結部４で折れ曲がり、図４の実線の状態にあるとき、ルアー１は左方向へ旋回する作用を受け、図４の一点鎖線の状態にあるとき、ルアー１は右方向へ旋回する作用を受ける。また、キャスト（釣り糸に結ばれたルアーを投げる）の後のルアー１の状態が、図４の実線位置にあるとき、ルアー後部３が水の抵抗を受けて、ルアー１は左方向へ旋回する作用を受ける。また、キャスト（釣り糸に結ばれたルアーを投げる）の後のルアー１の状態が、図４の一点鎖線位置にあるとき、ルアー後部３が水の抵抗を受けて、ルアー１は右方向へ旋回する作用を受ける。このように、ルアー１は水中で水流の作用力を受けて、ルアー後部３がルアー前部２に対して右位置又は左位置に移動し、左右配置の一方側の磁石装置１０が吸着する。即ち、左右配置の一方側の永久磁石１０Ａと磁性体１０Ｂが、近接又は当接して吸着する。この吸着状態を図４に実線と一点鎖線で示す。キャスト（釣り糸に結ばれたルアーを投げる）の後の糸ふけ等において、図４の実線状態を維持するとき、図４で頭部２Ａが向く下側方向（左へ旋回する方向）へＵターンアクションをする。
【００１５】
また、リトリーブ（釣り糸の巻上げ）等において、ライン（釣り糸）１１によってルアー１が図４の左方へ引かれるとき、又は、水流が速いとき等においては、ルアー後部３が水の抵抗を受けて、図４の実線位置にある磁石装置１０の吸着が外れて、図４の実線位置の反対側、即ち、図４の上方へ向けてルアー後部３が移動し、図４の上方位置にある磁石装置１０が吸着し、ルアー後部３が図４に一点鎖線で示す状態となる。そして、この状態で同様に、ライン（釣り糸）１１によってルアー１が図４の左方へ引かれるとき、又は、水流が速いとき等においては、ルアー後部３が水の抵抗を受けて、図４の一点鎖線位置にある磁石装置１０の吸着が外れて、図４の実線位置へ向けてルアー後部３が移動し、図４の下方位置にある磁石装置１０が吸着し、ルアー後部３が図４に実線で示す状態となる。このようにして、ルアー後部３は、ルアー前部２に対して角度αの範囲で揺動することとなる。
【００１６】
今、図５において、キャスト（釣り糸に結ばれたルアーを投げる）の後のルアー１の状態が、図５の（イ）に示すように、ルアー前部２とルアー後部３がルアー１の左右間の中心を前後方向に通る中心線Ｐ上に位置する場合、上記のように、ルアー前部２が水流の抵抗を受けてルアー前部２が、連結部４で図４の実線位置か図４の一点鎖線位置へ折れ曲がる。即ち、ルアー１が図５の（イ）に示す状態にあるとき、ルアー前部２が水流の抵抗を受けて連結部４で、例えば、図５の（ロ）に示す状態に折れ曲がった場合、磁石装置１０によってその状態が維持されるが、その磁石装置１０による吸着状態が剥がれるような水の抵抗をルアー後部３が受けると、ルアー後部３が反対側へ移動し反対側の磁石装置１０が吸着し、図５の（ハ）に示す状態に折れ曲がる。このような動作を繰り返すことによって、図５に矢印で示すように、ルアー１は略Ｓ字を連続して描くように蛇行アクションを行う。本発明では、磁石装置１０を備えない場合に比して、ルアー後部３を揺動させるには大きい作用力が必要となるため、ルアー前部２に対するルアー後部３の左から右への動き、及び右から左への動きが、磁石装置１０を備えない場合に比して遅れることとなり、ルアー１が蛇行する振幅Ｈが大きくなる。これによって、魚に対する誘引効果が大きくなる。また、永久磁石１０Ａの吸着力が大きい場合は、蛇行する振幅Ｈが大きく、永久磁石１０Ａの吸着力を小さくすれば蛇行する振幅Ｈを小さくできるため、永久磁石１０Ａの吸着力を適宜設定すれば、所期の蛇行パターンで揺動させることができるルアーとなる。
【実施例２】
【００１７】
図６にもう一つの実施例を示す。実施例２の構成は、ルアー前部２に対してルアー後部３が左右に揺動した右位置と左位置において、反発し合う磁石装置１０１を備え、この磁石装置１０１の反発によって水中においてルアー後部３が左右に揺動するものである。このため、実施例１の図１乃至図５において異なるところは、磁石装置１０に代わって磁石装置１０１を設けた点が異なるが、その配置構成は実施例１と同様であり、その他の構成は、実施例１と同様であるため、実施例１と共通する部分については同一符号を付しており、上記の説明を援用するものとする。
【００１８】
図６はルアー前部とルアー後部の連結部を示す横断平面図であり、図６において、磁石装置１０１は、ルアー後部３の凸部８の左右両面に磁石面が露出する状態で永久磁石１０１Ａがルアー後部３に埋設され、ルアー前部２の凹部７の左右両面に露出する状態で永久磁石１０１Ｂがルアー前部２に埋設されている。そして、永久磁石１０１Ａに対して永久磁石１０１Ｂは反対極性をもつ関係である。
【００１９】
このような構成によって、ルアー１は水中で水流の作用力を受けて、ルアー後部３がルアー前部２に対して右位置又は左位置に移動したとき、左右配置の一方側の磁石装置１０1において反発し合い、また他方側の磁石装置１０1において反発し合うため、ルアー後部３がルアー前部２に対して図４に示す角度αの範囲で左右に揺動することとなる。このため、ルアー後部３が水中で受ける水流の抵抗が小さくても、良好な左右方向への揺動を行うため、魚に対する誘引効果が大きくなる。実施例２のものは、実施例１に比して蛇行する振幅Ｈが小さく、蛇行回数も多くできるため、動きの速いルアーとするのに適する。
【産業上の利用可能性】
【００２０】
ルアー１の形態は、図のように魚形状とすることにより、好ましい効果を得ることができるが、形状は図示のものに限定されず、また、魚形以外に左右揺動が良好に行える形態であれば適用可能である。このため、上記の実施形態に限定されず、本発明の技術範囲において種々の構成のルアーに適用できるものである。
【図面の簡単な説明】
【００２１】
【図１】本発明に係る魚釣り用ルアーの側面図である。（実施例１）
【図２】本発明に係る魚釣り用ルアーの上面図である。（実施例１）
【図３】本発明に係る魚釣り用ルアーのルアー前部とルアー後部の連結部を示す横断平面図である。（実施例１）
【図４】本発明に係る魚釣り用ルアーのルアー前部に対してルアー後部が一方側へ揺動した状態を説明する上面図である。（実施例１）
【図５】本発明に係る魚釣り用ルアーの蛇行アクション状態を説明する平面図である。（実施例１）
【図６】本発明に係る魚釣り用ルアーのルアー前部とルアー後部の連結部を示す横断平面図である。（実施例２）
【符号の説明】
【００２２】
１・・・・・魚釣り用ルアー
２・・・・・ルアー前部
３・・・・・ルアー後部
４・・・・・連結部
５・・・・・リング部材
５Ｂ・・・・リング部
６・・・・・垂直軸
７・・・・・凹部
８・・・・・凸部
９・・・・・切り欠き
１０・・・・磁石装置
１０Ａ・・・永久磁石又は磁性体
１０Ｂ・・・永久磁石又は磁性体
１１・・・・ライン（釣り糸）
１０１・・・磁石装置
１０１Ａ・・永久磁石
１０１Ｂ・・永久磁石
【図１】
2007053956.tif 000003
【図２】
2007053956.tif 000004
【図３】
2007053956.tif 000005
【図４】
2007053956.tif 000006
【図５】
2007053956.tif 000007
【図６】
2007053956.tif 000008